(57)【要約】【課題】  遠隔操作式排水栓装置において、部材の強度を高いものとすると共に、排水管内部への機構部の突出を可能な限り小さいものとして、清掃性を向上させる。【解決手段】  遠隔操作式排水栓装置を、排水口と、排水口からの排水を下流側に排水する排水管と、排水口を上下動することによって開閉する弁体を備えた弁部材と、使用者が操作を加えて弁体の開口／閉口を操作する操作部と、から構成すると共に、排水管の内部に、操作部の操作に対応して、排水管の内面に沿って水平方向に回動する回動体を備え、該回動体の上方に、排水管の内面に沿って上下動自在に配置される昇降部材を備え、該回動体と昇降部材のいずれか一方、又は両方に傾斜部を備えて、該傾斜部によって回動体の水平方向への回動を昇降部材の上昇に変換すると共に、弁部材を昇降部材に支承させて上昇させ、排水口を開口させるように構成する。【選択図】図２
2018009362.tif 000002
【特許請求の範囲】
【請求項１】
槽体の底部に開口した排水口と、
排水口からの排水を下流側に排水する排水管と、
排水口内に配置され、上下動することによって、排水口を開閉する弁体を備えた弁部材と、
使用者が操作を加えて弁体の開口／閉口を操作する操作部と、
から構成される遠隔操作式排水栓装置において、
排水管の内部に、操作部の操作に対応して、排水管の内面に沿って水平方向に回動する回動体を備え、
該回動体の上方に、排水管の内面に沿って上下動自在に配置される昇降部材を備え、
該回動体と昇降部材のいずれか一方、又は両方に傾斜部を備えて、該傾斜部によって回動体の水平方向への回動を昇降部材の上昇に変換すると共に、
弁部材を昇降部材に支承させて上昇させ、排水口を開口させることを特徴とする遠隔操作式排水栓装置。
【請求項２】
上記遠隔操作式排水栓装置において、操作部の操作を回動体に伝達する伝達部材を備え、該伝達部材の排水口側端部が、排水管の内面に沿って水平方向に進退自在に構成されてなることを特徴とする、請求項１に記載の遠隔操作式排水栓装置。
【請求項３】
槽体の底部に開口した排水口と、
排水口からの排水を下流側に排水する排水管と、
排水口内に配置され、上下動することによって、排水口を開閉する弁体を備えた弁部材と、
使用者が操作を加えて弁体の開口／閉口を操作する操作部と、
から構成される遠隔操作式排水栓装置において、
排水管の内部に、排水管の内面に沿って段部を備え、
排水管の内部であって、該段部の上方に、操作部の操作に対応して、排水管の内面に沿って回動可能且つ上下動可能に動作する昇降部材を備え、
該段部と昇降部材のいずれか一方、又は両方に傾斜部を備えて、該傾斜部によって昇降部材の回転を昇降部材の上昇に変換すると共に、
弁部材を昇降部材に支承させて上昇させ、排水口を開口させることを特徴とする遠隔操作式排水栓装置。
【請求項４】
上記遠隔操作式排水栓装置において、操作部の操作を昇降部材に伝達する伝達部材を備え、該伝達部材の排水口側端部が、排水管の内面に沿って水平方向に進退自在に構成され、且つ、伝達部材の排水口側端部が、昇降部材に対して上下方向にスライド可能に接続されてなることを特徴とする、請求項３に記載の遠隔操作式排水栓装置。
【請求項５】
前記伝達部材の排水管側端部に、可撓性を有し、直線形状から円弧形状に容易且つ破損等なく変形することができるベルト部材を備え、該ベルト体が排水管の内面に沿って水平方向に摺動可能としたことを特徴とする前記請求項２又は請求項４に記載の遠隔操作式排水栓装置。
【請求項６】
前記伝達部材を、インナーワイヤと、該インナーワイヤをその内部で軸方向に進退自在に収納するアウターチューブと、から成るレリースワイヤとしたことを特徴とする前記請求項５に記載の遠隔操作式排水栓装置。
【請求項７】
前記昇降部材を、排水管の内面に沿った円筒形状としたことを特徴とする前記請求項１乃至請求項６のいずれか一つに記載の遠隔操作式排水栓装置。
【発明の詳細な説明】
【技術分野】
【０００１】
本発明は、遠隔操作式排水栓装置に関し、更に詳しくは、配管内部等の清掃性を向上させた遠隔操作式排水栓装置に関するものである。
【背景技術】
【０００２】
従来より、浴槽や洗面ボウルなどの槽体の内部に生じた排水を処理するため、槽体の底面等に排水口を設け、この排水口から排水配管を介し、下水側に排水を排出する方法が広く知られている。また、槽体内に水を溜める場合に、弁部材を利用して排水口を開閉する方法があるが、この弁部材による排水口の開閉を、弁部材や排水口から離間した位置、例えば槽体の縁部や槽体側面の上方に設けた操作部への操作によって行う遠隔操作式排水栓装置が知られている。
広く知られた遠隔操作式排水栓装置としては、特許文献１に記載のような、槽体としての洗面ボウルに施工されるものであって、以下に記載する、排水口本体、継手管、操作伝達部材としてのレリースワイヤ、弁部材、操作部、より構成されてなる。
洗面ボウルは、上方が開口した箱体であって、底面には排水口本体を取り付ける取付孔を、上方の開口周縁には操作部を取り付ける操作部取付孔を、それぞれ備えてなる。
排水口本体は略円筒形状にしてその内部に排水を通過させる排水の流路を形成し、この流路の上端部分の開口が、槽体内の排水が流入する排水口となる。
継手管は、排水口本体の下端に接続される管体であって、途中部分で屈曲させ、この屈曲で生じた排水口の直下位置に当たる底面部分に、昇降部材を上下方向に進退可能に配置して、弁部材を昇降させる機構部としている。
レリースワイヤは、筒状のアウターチューブ、及びアウターチューブ内を進退自在に摺動するインナーワイヤ、から構成され、一端は操作部に、他端は機構部に、それぞれ接続される。
操作部は、使用者が直接抓んで押し引きの操作を行う操作体と、該操作体を進退自在に収納する操作部本体と、から構成される。
弁部材は、排水口を閉口する弁体と、該弁体の下面中央から下方に垂下して設けた弁軸と、から構成される。
上記のように構成された遠隔操作式排水栓装置は以下のようにして、洗面ボウルに施工される。
洗面ボウルの底面に設けられた取付孔に、排水口本体の上端を接続し、更に排水口本体の下端に継手管を接続する（特許文献１に示唆は無いが、継手管の下端は、更にパイプ管等を介して下水側に繋がる床下配管に接続される）。
また洗面ボウルの操作部取付孔に操作部本体を取り付け固定すると共に、操作部本体内に操作体を収納した状態で、インナーワイヤの操作部側端部を操作体に、アウターチューブの操作部側端部を操作部本体に、それぞれ接続固定する。
また、インナーワイヤの機構部側端部を昇降部材に、アウターチューブの機構部側端部を継手管に、それぞれ接続固定する。
更に排水口から排水口本体内部に弁部材を配置して、特許文献１に記載の遠隔操作式排水栓装置の施工が完了する。
上記のように構成した遠隔操作式排水栓装置において、操作部に操作を加え、弁部材が降下して弁体が排水口を覆って閉塞した状態とする。この時操作体は上昇している。この状態から操作体に押し込み操作を行うと、インナーワイヤを介して操作体に加えた操作が昇降部材に伝達され、昇降部材が上昇して弁軸を押し上げるため、弁部材が上昇して排水口から弁体が離間し、排水口が開口する。槽体内に排水又は吐水がある場合には、排水口から排水口本体内部、継手管等を介して排水が流れ、最終的に床下配管から下水側に排水が排出される。
この状態から、操作体に引き上げ操作を行うと、インナーワイヤを介して操作体に加えた操作が昇降部材に伝達され、昇降部材が降下することで、弁軸の支持が失われるため、弁部材が降下して排水口を再び弁体が覆い、排水口が閉口する。
以降、同様の操作を行うことで、排水口から離間した位置にある操作部にて、排水口を遠隔操作により開閉することができる。
【０００３】
上記のような特許文献１に記載の遠隔操作式排水栓装置の問題点として、遠隔操作式排水栓装置の弁部材を昇降させるための機構部を排水口本体や継手管の内部に配置する必要があり、この排水管内部に突出した機構部が清掃の障害となっている点が挙げられる。
特許文献１に記載の遠隔操作式排水栓装置の場合、弁部材を押し上げるためには弁部材の中央に配置された弁軸を押し上げる必要があり、このため排水管の中央に配置される弁軸を押し上げる機構部としての昇降部材やそのガイドの為の機構も排水管の中央に配置しなければならない。このようにして排水管の中央部分に突出部分としての機構部が配置されることで、上記のように、排水管の内部に狭隘な部分が生じ、水中の毛髪や塵芥などが付着また堆積しやすくなると共に、狭隘な為にブラシなどの清掃機具を挿し入れ、押し当てることが困難となって、汚れ易く清掃し難い排水配管となってしまう、という問題が生じていた。
【０００４】
上記のような清掃性の問題を解決する遠隔操作式排水栓装置として、特許文献２に記載した遠隔操作式排水栓装置が提案されている。
特許文献２に記載した遠隔操作式排水栓装置では、弁部材に、リング状部分を形成した通水部材を備え、また機構部として、この通水部材が載置される、排水管の中心に達しない突起部を排水管の側面部分に設けてなる。
第一の実施形態（特許文献２中図１乃至図５の実施形態）では、排水管の内面において、排水管の中心に向かう略水平な軸を回転軸とする可動部材と、該可動部材の回転軸の円周近傍に突起部を配置して、可動部材が回転することで突起部が上下動し、通水部材を押し上げて弁部材を上下動させ、排水口を開閉させる構成である。
第二の実施形態（特許文献２中図６の実施形態）では、傾斜部を備えた可動部材を、排水管の中心方向に、但し中央に達しない位置まで進退させることで通水部材を押し上げて弁部材を上下動させ、排水口を開閉させる構成である。
第三の実施形態（特許文献２中図７の実施形態）では、排水管の内面において、排水管の周縁の接線方向に水平な軸を回転軸とする可動部材と、該可動部材の外周部分に突起部を配置して、可動部材が回転することで突起部が上下動し、通水部材を押し上げて弁部材を上下動させ、排水口を開閉させる構成である。
上記のように構成することで、遠隔操作式排水栓装置の排水管の中心にまで突起部を設ける必要が無くなり、特許文献１の遠隔操作式排水栓装置にあった清掃性の問題点を解消することができた。
【特許文献１】特開平７−２２４４５１号
【特許文献２】特開２０１２−３６５５８号
【発明の開示】
【発明が解決しようとする課題】
【０００５】
しかしながら、上記のように構成した遠隔操作式排水栓装置には、以下のような問題点があった。
特許文献２に記載の遠隔操作式排水栓装置において、弁部材を押し上げる突起部の強度に問題が有った。
特許文献２に記載の各実施形態において、弁部材は全て突起部に載置され、突起部が弁部材を押し上げることで、排水口が開閉する構造となっている。このため、排水口が開口している状態においては、弁部材に加えられる荷重は、全て突起部が支える必要がある。
ところが、特許文献２において、第一の実施形態、及び第三の実施形態の場合、垂直方向に回転する回転体上に突起を設け、この突起に弁部材を載置して弁部材を昇降させるように構成している。このため、突起部の強度を確保するために突起部を大きくすると、様々な問題が発生する。
特許文献２の第一の実施形態の場合、突起部の大型化に合わせて回転体の直径を大きくすると、排水管内に突出する回転体部分が大きくなる。排水管は通常円筒形状で、この円筒形状に側面方向から別の大きな円筒形状の部材を配置すると、配管内部の構造が複雑化する場合がある。
また、特許文献２の第三の実施形態の場合は、突起部の大型化に合わせて回転体の直径を大きくすると、排水管外に突出する回転体部分が大きくなり、配管レイアウトに障害が生じやすくなる。回転体の大きさを変化させず、突起部のみ大型化すると、突起部自体が障害となって上下方向に回転できる範囲が狭くなり、弁部材を上下動出来る幅が狭くなる。
特許文献２の第二の実施形態の場合は、上記第一の実施形態また第三の実施形態と異なり、上下方向に相応の肉厚を有する突起部を用意することで突起部の強度を確保することができるが、突起部の進退の方向は排水管の中心方向であり、弁部材を容易に押し上げることが出来るように傾斜部の傾斜を緩やかにすると、弁部材を排水口から排水が確実に行える程度に必要な高さ分押し上げる為には突起部の中心方向への突出を大きくしなければならず、発明の目的である、「排水管の内部に突起等をなくすことで清掃性を高める」という目的が達成できなくなる。排水管の中心方向への突出を小さくする為に傾斜部の傾斜を急激とすると、「若干の傾斜があるものの、ほぼ垂直な壁面（傾斜部）が通水部の側面に押し当てられる」こととなり、弁部材が傾斜部上に乗り上げなくなり、弁部材を押し上げることが出来なくなる、という問題があった。
本発明は上記問題点に鑑み発明されたものであって、遠隔操作式排水栓装置において、部材の強度を高いものとすると共に、排水管内部への機構部の突出を可能な限り小さいものとして、清掃性が向上した遠隔操作式排水栓装置を提供するものである。
【課題を解決するための手段】
【０００６】
請求項１に記載の本発明は、槽体の底部に開口した排水口と、排水口からの排水を下流側に排水する排水管と、排水口内に配置され、上下動することによって、排水口を開閉する弁体を備えた弁部材と、使用者が操作を加えて弁体の開口／閉口を操作する操作部と、
から構成される遠隔操作式排水栓装置において、
排水管の内部に、操作部の操作に対応して、排水管の内面に沿って水平方向に回動する回動体を備え、該回動体の上方に、排水管の内面に沿って上下動自在に配置される昇降部材を備え、該回動体と昇降部材のいずれか一方、又は両方に傾斜部を備えて、該傾斜部によって回動体の水平方向への回動を昇降部材の上昇に変換すると共に、弁部材を昇降部材に支承させて上昇させ、排水口を開口させることを特徴とする遠隔操作式排水栓装置である。
【０００７】
請求項２に記載の本発明は、上記遠隔操作式排水栓装置において、操作部の操作を回動体に伝達する伝達部材を備え、該伝達部材の排水口側端部が、排水管の内面に沿って水平方向に進退自在に構成されてなることを特徴とする、請求項１に記載の遠隔操作式排水栓装置である。
【０００８】
請求項３に記載の本発明は、槽体の底部に開口した排水口と、排水口からの排水を下流側に排水する排水管と、排水口内に配置され、上下動することによって、排水口を開閉する弁体を備えた弁部材と、使用者が操作を加えて弁体の開口／閉口を操作する操作部と、
から構成される遠隔操作式排水栓装置において、
排水管の内部に、排水管の内面に沿って段部を備え、排水管の内部であって、該段部の上方に、操作部の操作に対応して、排水管の内面に沿って回動可能且つ上下動可能に動作する昇降部材を備え、該段部と昇降部材のいずれか一方、又は両方に傾斜部を備えて、該傾斜部によって昇降部材の回転を昇降部材の上昇に変換すると共に、弁部材を昇降部材に支承させて上昇させ、排水口を開口させることを特徴とする遠隔操作式排水栓装置である。
【０００９】
請求項４に記載の本発明は、上記遠隔操作式排水栓装置において、操作部の操作を昇降部材に伝達する伝達部材を備え、該伝達部材の排水口側端部が、排水管の内面に沿って水平方向に進退自在に構成され、且つ、伝達部材の排水口側端部が、昇降部材に対して上下方向にスライド可能に接続されてなることを特徴とする、請求項３に記載の遠隔操作式排水栓装置である。
【００１０】
請求項５に記載の本発明は、前記伝達部材の排水管側端部に、可撓性を有し、直線形状から円弧形状に容易且つ破損等なく変形することができるベルト部材を備え、該ベルト体が排水管の内面に沿って水平方向に摺動可能としたことを特徴とする前記請求項２又は請求項４に記載の遠隔操作式排水栓装置である。
【００１１】
請求項６に記載の本発明は、前記伝達部材を、インナーワイヤと、該インナーワイヤをその内部で軸方向に進退自在に収納するアウターチューブと、から成るレリースワイヤとしたことを特徴とする前記請求項５に記載の遠隔操作式排水栓装置である。
【００１２】
請求項７に記載の本発明は、前記昇降部材を、排水管の内面に沿った円筒形状としたことを特徴とする前記請求項１乃至請求項６のいずれか一つに記載の遠隔操作式排水栓装置である。
【発明の効果】
【００１３】
請求項１、請求項３に記載の本発明では、水平方向を向いた軸を回転軸とした回転の機構を備えておらず、上下方向の回動を行わないため、昇降部材の肉厚を太くすることができる。また昇降のための機構は排水管の内面に沿って移動し、中心方向には進退しないため、排水管の内面方向への突出の幅を狭くして清掃性を向上することができる。
請求項２、請求項４乃至請求項６に記載の本発明では、遠隔操作式排水栓装置の構造を明確にすることができる。
請求項７に記載の本発明では、昇降部材を、排水管の内面に沿った環状形状としたことで、昇降部材の動作の安定性を高めることができる。
【図面の簡単な説明】
【００１４】
【図１】第一実施例の遠隔操作式排水栓装置の施工状態を示す断面図である。
【図２】第一実施例の遠隔操作式排水栓装置の、閉口状態を示す要部断面図である。
【図３】図２のＡ−Ａ断面図である。
【図４】第一実施例の遠隔操作式排水栓装置の、開口状態を示す要部断面図である。
【図５】図４のＢ−Ｂ断面図である。
【図６】第一実施例の遠隔操作式排水栓装置の、部材構成を示す参考図である。
【図７】ベルト部材を示す斜視図である。
【図８】第二実施例の遠隔操作式排水栓装置の施工状態を示す断面図である。
【図９】第二実施例の遠隔操作式排水栓装置の、閉口状態を示す要部断面図である。
【図１０】図９のＣ−Ｃ断面図である。
【図１１】第二実施例の遠隔操作式排水栓装置の、開口状態を示す要部断面図である。
【図１２】図１１のＤ−Ｄ断面図である。
【図１３】第二実施例の遠隔操作式排水栓装置の、部材構成を示す参考図である。
【図１４】他の実施例の遠隔操作式排水栓装置の要部断面図である。
【図１５】図１４の実施例のベルト部材と昇降部材の構成を示す参考図である。
【実施例】
【００１５】
以下に本発明の第一実施例を、図面を参照しつつ説明する。
図１乃至図７に示した、本発明の第一実施例の遠隔操作式排水栓装置は、以下に記載する、槽体としての洗面台Ｓに施工されるものであって、以下に記載する、排水口本体１、継手管８、昇降部材１０、回動体１１、操作伝達部材としてのレリースワイヤ６、弁部材２、操作部５、トラップ管１３、より構成されてなる。
洗面台Ｓは、箱状のキャビネット部Ｃと、該キャビネット部Ｃ上に設置された洗面ボウルＳ１と、からなる排水機器である。また、洗面ボウルＳ１は、上方が開口した箱体であって、底面には排水口本体１を取り付ける取付孔Ｈ１を、上方の開口周縁には操作部５を取り付ける操作部取付孔Ｈ２を、それぞれ備えてなる。
排水口本体１は、内部に排水流路を形成する略円筒形状の部材であって、その上端部分に排水口１ａを、上縁に外方向に突出したフランジ部１ｂを、フランジ部１ｂ下方の側面に雄ネジを、それぞれ備えてなる。また排水口本体１の雄ネジと螺合する雌ネジを備えた板ナット部材１ｃを備えてなる。また、排水口本体１は、その内面に、平面視９０度毎となる位置に４か所、縦溝部９を備えてなる。
継手管８は、その上端に上記排水口本体１の下端が接続される、略直線状をなす円筒からなる管体部分を備えた部材であって、上方の開口には排水口本体１の雄ネジと螺合する雌ネジを備えた袋ナットを備えてなる。
また、継手管８は、縦溝部９の下方の位置で、図３また図５に示したように、平面視継手管８の円筒を成す管体部分の接線方向に接続管８ａを備えてなる。該接続管８ａの内部部分、及び接続管８ａの内部に連続する継手管８の管体部分の内周面に、後述するベルト部材７が進退するガイド部８ｂを形成してなる。ガイド部８ｂは、施工完了時、後述する回動体１１の外周側となる位置に形成され、従ってガイド部８ｂを進退するベルト部材７は、施工完了時、回動体１１の外周側となる部分を進退する。
また、接続管８ａの端部には、後述するレリースワイヤ６の接続部分が備えられてなる。
また、継手管８の内部であって、ガイド部８ｂよりも下方には、内径方向に向かって段部１２ａが形成され、この段部１２ａ上に、下方から順に、回動体１１、昇降部材１０がそれぞれ配置される。
昇降部材１０は、円筒形状を成す部材であって、その外径は継手管８の管体部分の内面の内径よりも若干小径に形成され、側面には排水口本体１の縦溝部９に合致する縦リブ部１０ａを、下端には円周に沿って第一の傾斜部１０ｂを備えてなる。
施工完了時には、縦溝部９に縦リブ部１０ａが配置された状態で、排水口本体１内部に、上下動可能且つ縦溝部９に縦リブ部１０ａが嵌っていることにより回転不可能に、配置される。
回動体１１は、円筒形状を成す部材であって、その外径は継手管８の管体部分の内面の内径よりも若干小径に形成され、側面には後述するベルト部材７の突起体７ａに嵌合する穴部１１ａを備えてなり、また上端部分には第二の傾斜部１２ｂを備えてなる。
施工完了時には、継手管８の段部１２ａ上に、継手管８の内面に沿って水平方向に回動自在に配置される。
また、昇降部材１０の第一の傾斜部１０ｂと、回動体１１の第二の傾斜部１２ｂは、それぞれ水平面に対し約３０度程度の角度を有した傾斜を円弧に沿って４回転対称形状に形成してなり、このため、昇降部材１０の下面に設けられた第一の傾斜部１０ｂと、回動体１１の上面に設けられた第二の傾斜部１２ｂは、施工完了時、昇降部材１０が最も降下した状態では、それぞれ合致する形状となっている。
一方、縦リブ部１０ａが縦溝部９に嵌って昇降部材１０が回動不能に構成されていることから、回動体１１が段部１２ａ上を継手管８内面に沿って水平方向に回動すると、第二の傾斜部１２ｂが、第一の傾斜部１０ｂを、滑りながら押し上げることとなる。即ち、回動体１１の水平方向への回転が、第二の傾斜部１２ｂ及び第一の傾斜部１０ｂによって、昇降部材１０の上昇に変換される。
レリースワイヤ６は、操作部５に加えられた操作を、弁部材２側に伝達するための部材であって、筒状にして軸方向に剛性を、側面方向に可撓性を備えたアウターチューブ６ａと、上記アウターチューブ６ａ内を摺動自在に動作する、軸方向に剛性を、側面方向に可撓性を備えたインナーワイヤ６ｂと、から構成される。
また、継手管８側に接続される側のインナーワイヤ６ｂ端部に、図７に示したような、突起体７ａを設けたベルト部材７を備えてなる。該ベルト部材７は、可撓性を有する樹脂材から構成されてなり、ガイド部８ｂに沿って直線形状から円弧形状に容易且つ破損等なく変形することができる。
弁部材２は、略円盤状からなり排水口１ａを覆うことで水密的に閉塞する弁体２ａと、該弁体２ａの下面中央から垂下される弁軸２ｂと、弁軸２ｂの下端に設けられた、目皿としても機能する環状支承部３と、弁軸２ｂ上に配置された、目皿としても機能する環状支持部４と、から構成される。
環状支承部３は、弁軸２ｂの下端部分に配置固定される部材であって、その外径が排水管の内径とほぼ等しく、若干小径となる環状部３ａと、該環状部３ａと弁軸２ｂ下端とを接続固定する支承部３ｂからなり、支承部３ｂ間を排水が通過可能となっている。
操作部５は、使用者が直接抓んで押し引きの操作を行う操作体５ａと、該操作体５ａを進退自在に収納する操作部本体５ｂと、から構成される。
トラップ管１３は、管体を略Ｓ字形状に屈曲させ、横転させたような形状の部材であって、上流側の端部は継手管８の下端に、下流側の端部は床下配管に、それぞれ接続される。また、施工完了時、排水機器である洗面台Ｓを使用し、トラップ管１３内に排水が通過すると、トラップ管１３の屈曲部分に排水が留まって、満水状態となる部分が形成される。この部分を封水部１３ａ、溜まった排水を封水と呼び、流路上が満水状態となることで、下流側となる下水側から、上流となる排水口１ａ側（屋内側）に臭気や害虫類が侵入することを防止する構造となっている。
尚、上記した各部材の内、排水口１ａから流入した排水をその内部に通過させる管体を「排水管」と呼ぶ。上記各部材においては、排水口本体１、継手管８、トラップ管１３が「排水管」であり、また排水口本体１と継手管８は、「排水口１ａの直下位置に配置された排水管」である（トラップ管１３は、上流側の一部分のみが排水口１ａの直下位置に配置された排水管」である）。
【００１６】
上記のように構成した第一実施例の遠隔操作式排水栓装置は、以下のようにして、槽体である洗面台Ｓの洗面ボウルＳ１に施工される。尚、特に記載しない場合でも、接着剤やパッキングを用いたネジ接続などにより、必要に応じて各部材の接続箇所は水密的に接続される。
まず、排水口本体１を、洗面ボウルＳ１底面に設けられた取付孔Ｈ１に挿通し、フランジ部１ｂの下面を、取付孔Ｈ１の周縁上面に当接した状態とする。
次に、板ナット部材１ｃの雌ネジを、排水口本体１の雄ネジに螺合させ、取付孔Ｈ１周縁をフランジ部１ｂ下面と板ナット部材１ｃ上面部分とで挟持させて、洗面ボウルＳ１に固定する。
次に、操作部本体５ｂを、操作部取付孔Ｈ２に固定する。
次に、レリースワイヤ６の継手管８側のインナーワイヤ６ｂの一端に、ベルト部材７を接続固定し、更にベルト部材７を接続管８ａ側から挿入し、ベルト部材７をガイド部８ｂに配置した上で、アウターチューブ６ａ端部を、接続管８ａ端部に水密的に接続固定する。
次に、回動体１１を、第二の傾斜部１２ｂを上方として、継手管８の段部１２ａ内に配置し、ベルト部材７の突起体７ａに回動体１１の穴部１１ａを嵌合させる。
次に、継手管８の管体部分の上流側端部を排水口本体１の下端に接続する。次に、継手管８の管体部分の下流側端部をトラップ管１３の上流側端部に接続する。更にトラップ管１３の下流側端部を下水側配管に接続する。
次に、レリースワイヤ６の操作部５側のインナーワイヤ６ｂ端部を操作体５ａの下端に、アウターチューブ６ａの操作部５側端部を操作部本体５ｂの下端に、それぞれ接続固定する。
次に、昇降部材１０を、第一の傾斜部１０ｂを下方として、排水口１ａから継手管８内に配置する。この時は、縦リブ部１０ａが、排水口本体１の縦溝部９内に嵌るように配置する。
更に、弁部材２を排水口１ａから排水口本体１内乃至継手部８内に配置して、本実施例の遠隔操作式排水栓装置の施工が完了する。
【００１７】
次に、上記第一実施例の遠隔操作式排水栓装置の動作について図１乃至図５を用いて説明する。
上記第一実施例の遠隔操作式排水栓装置を使用する場合、図２のように、まず操作部５の操作体５ａに操作を加え、排水口１ａを弁部材２が覆って排水口１ａを閉口した状態とする。
この時、操作体５ａは上昇し、これによって昇降部材１０及びインナーワイヤ６ｂは操作部５側に後退した状態となっている。
また、この時回動体１１の位置は、昇降部材１０の第一の傾斜部１０ｂと、回動体１１の第二の傾斜部１２ｂとが合致する位置に移動しており、このため昇降部材１０は最も低い位置に降下している。昇降部材１０の上端部と、弁部材２の支承部３ｂの下端部は離間しており、このため弁部材２も降下することによって、上記のように、弁体２ａが排水口１ａを閉塞している。
この状態から操作体５ａに押し込み操作を行うと、インナーワイヤ６ｂを介し、ガイド部８ｂに沿ってベルト部材７が前進する。また、穴部１１ａが突起体７ａと嵌合していることで、回動体１１がベルト部材７と共に回動し、図３の状態から図５の状態に移動する。
回動体１１が段部１２ａ上を継手管８内面に沿って水平方向に回動すると、昇降部材１０は縦リブ部１０ａが縦溝部９に嵌って回動不能に構成されていることから、第二の傾斜部１２ｂが、第一の傾斜部１０ｂを、滑りながら押し上げることとなる。即ち、回動体１１の水平方向への回転（本実施例では平面視において６０度程度）が、第二の傾斜部１２ｂ及び第一の傾斜部１０ｂによって、昇降部材１０の上昇に変換される。
このように、昇降部材１０が上昇すると、昇降部材１０の上面に弁部材２の支承部３ｂが載置され、更に昇降部材１０に押し上げられて弁部材２が上昇する。結果、図４に示したように、弁体２ａが排水口１ａから離間して押し上げられる。
排水口１ａの開口時に、洗面ボウルＳ１内に排水又は吐水がある場合には、排水口１ａから排水口本体１内部、継手管８、トラップ管１３を介して排水が流れ、最終的に床下配管から下水側に排水が排出される。また、トラップ管１３の封水部１３ａに排水が溜まって封水を形成することで、下水側からの臭気や害虫類の屋内側への侵入を防止することができる。
この排水口１ａが開口した状態より操作部５に再度操作を加え、操作体５ａを上昇させると、インナーワイヤ６ｂは操作体５ａ側に後退し、これに伴ってベルト部材７も操作部５側に後退し、回動体１１を図３の状態の位置に回動させる。結果、弁部材２の環状支承部３が昇降部材１０の支承を失って降下し、これに伴い弁軸２ｂ、弁体２ａも降下することで、図２に示したように、排水口１ａを弁体２ａが覆って排水口１ａを閉口する。
以降、上記操作体５ａに押し引きの操作を行うことで、排水口１ａから離間した位置にある操作部５にて、排水口１ａを遠隔操作により開閉することができる。本実施例の遠隔操作式排水栓装置は、操作体５ａへの押しと引きの二方向への操作によって、排水口１ａの開閉を行うことから、２ウェイ式の遠隔操作式排水栓装置と呼ばれる。
【００１８】
次に、本発明の第二実施例を、図面を参照しつつ説明する。
図８乃至図１３に示した、本発明の第二実施例の遠隔操作式排水栓装置は、以下に記載する、槽体としての洗面台Ｓに施工されるものであって、以下に記載する、排水口本体１、継手管８、昇降部材１０、操作伝達部材としてのレリースワイヤ６、弁部材２、操作部５、トラップ管１３、より構成されてなる。
上記構成の内、洗面台Ｓ、弁部材２、操作部５、及びトラップ管１３は、段落００１５に記載した第一実施例と同一の構成のため説明は省略し、構成に相違点がある排水口本体１、継手管８、昇降部材１０についてのみ、以下に説明する。
排水口本体１は、内部に排水流路を形成する略円筒形状の部材であって、その上端部分に排水口１ａを、上縁に外方向に突出したフランジ部１ｂを、フランジ部１ｂ下方の側面に雄ネジを、それぞれ備えてなる。また排水口本体１の雄ネジと螺合する雌ネジを備えた板ナット部材１ｃを備えてなる。尚、本第二実施例の排水口本体１は、第一実施例の排水口本体１と異なり、縦溝部９を有さない。
継手管８は、その上端に上記排水口本体１の下端が接続される、略直線状をなす円筒からなる管体部分を備えた部材であって、上方の開口には排水口本体１の雄ネジと螺合する雌ネジを備えた袋ナットを備えてなる。
また、継手管８は、図１０また図１２に示したように、平面視継手管８の円筒を成す管体部分の接線方向に接続管８ａを備えてなる。該接続管８ａの内部部分、及び接続管８ａの内部に連続する継手管８の管体部分の内周面に、レリースワイヤ６のベルト部材７が進退するガイド部８ｂを形成してなる。ガイド部８ｂは、施工完了時、後述する昇降部材１０の外周側となる位置に形成され、従ってガイド部８ｂを進退するベルト部材７は、施工完了時、昇降部材１０の外周側となる部分を進退する。
また、接続管８ａの端部には、後述するレリースワイヤ６の接続部分が備えられてなる。
また、継手管８の内部であって、ガイド部８ｂよりも下方には、内径方向に向かって段部１２ａを備えてなる。該段部１２ａには、傾斜面を備えた、第二の傾斜部１２ｂが形成されると共に、施工完了時、この第二の傾斜部１２ｂの上方に、昇降部材１０が配置される。
昇降部材１０は、円筒形状を成す部材であって、その外径は継手管８の管体部分の内面の内径よりも若干小径に形成され、またその下面には円周に沿って第一の傾斜部１０ｂを備えてなる。
また、昇降部材１０の外側面には、ベルト部材７の突起体７ａが上下方向に自在に移動可能で、且つ水平方向には移動不可能なように、上下方向に縦溝部９が形成されている。この縦溝部９の上方は閉塞され、下方は昇降部材１０の下端部分にて開放されてなる。
また、昇降部材１０の第一の傾斜部１０ｂと、継手管８の第二の傾斜部１２ｂは、それぞれ円筒を水平面に対し約１５度程度の角度を有した傾斜面にて切断したような形状に形成してなり、このため、昇降部材１０の下面に設けられた第一の傾斜部１０ｂと、段部１２ａの上面に設けられた第二の傾斜部１２ｂは、施工完了時、昇降部材１０が最も降下した状態では、それぞれ合致する形状となっている。
一方、昇降部材１０が操作部５への操作により継手管８の管体部分に沿って回動すると、第一の傾斜部１０ｂが、第二の傾斜部１２ｂ上を、滑りながら押し上げられることとなる。即ち、昇降部材１０の水平方向への回転が、第二の傾斜部１２ｂ及び第一の傾斜部１０ｂによって、昇降部材１０の上昇に変換される。
【００１９】
上記のように構成した第二実施例の遠隔操作式排水栓装置は、以下のようにして、槽体である洗面ボウルＳ１に施工される。尚、特に記載しない場合でも、接着剤やパッキングを用いたネジ接続などにより、必要に応じて各部材の接続箇所は水密的に接続される。
まず、排水口本体１を、洗面ボウルＳ１底面に設けられた取付孔Ｈ１に挿通し、フランジ部１ｂの下面を、取付孔Ｈ１の周縁上面に当接した状態とする。
次に、板ナット部材１ｃの雌ネジを、排水口本体１の雄ネジに螺合させ、取付孔Ｈ１周縁をフランジ部１ｂ下面と板ナット部材１ｃ上面部分とで挟持させて、洗面ボウルＳ１に固定する。
次に、操作部本体５ｂを、操作部取付孔Ｈ２に固定する。
次に、レリースワイヤ６の継手管８側のインナーワイヤ６ｂの一端に、ベルト部材７を接続固定した上で、ベルト部材７を接続管８ａ側から挿入し、ベルト部材７をガイド部８ｂに配置した上で、アウターチューブ６ａ端部を、接続管８ａ端部に水密的に接続固定する。
次に、継手管８の管体部分の上流側端部を排水口本体１の下端に、下流側端部をトラップ管１３の上流側端部に、それぞれ接続する。更にトラップ管１３の下流側端部を下水側配管に接続する。
次に、レリースワイヤ６の操作部５側のインナーワイヤ６ｂ端部を操作体５ａの下端に、アウターチューブ６ａの操作部５側端部を操作部本体５ｂの下端に、それぞれ接続固定する。
次に、昇降部材１０を、第一の傾斜部１０ｂを下方として、排水口１ａから継手管８内に配置する。この時は、縦溝部９の下方の開放部分から、ベルト部材７の突起体７ａが縦溝部９内に配置されるようにする。
更に、弁部材２を排水口１ａから排水口本体１内乃至継手部８内に配置して、本実施例の遠隔操作式排水栓装置の施工が完了する。
【００２０】
次に、上記第二実施例の遠隔操作式排水栓装置の動作について図８乃至図１２を用いて説明する。
上記第二実施例の遠隔操作式排水栓装置を使用する場合、図９のように、まず操作部５の操作体５ａに操作を加え、排水口１ａを弁部材２が覆って排水口１ａを閉口した状態とする。
この時、操作体５ａは上昇し、これによって昇降部材１０及びインナーワイヤ６ｂは操作部５側に後退した状態となっている。
また、この時昇降部材１０の位置は、昇降部材１０の第一の傾斜部１０ｂと、継手管８の第二の傾斜部１２ｂとが合致する位置に移動しており、このため昇降部材１０は最も低い位置に降下している。昇降部材１０の上端部と、弁部材２の支承部３ｂの下端部は離間しており、このため弁部材２も降下することによって、上記のように、弁体２ａが排水口１ａを閉塞している。
この状態から操作体５ａに押し込み操作を行うと、インナーワイヤ６ｂを介し、ガイド部８ｂに沿ってベルト部材７が前進する。突起体７ａが縦溝部９に配置されていることから、昇降部材１０がベルト部材７と共に回動し、図１０の状態から図１２の状態に移動する。
この昇降部材１０の回動に伴って、第一の傾斜部１０ｂが、第二の傾斜部１２ｂ上を、滑りながら押し上げられることとなる。即ち、昇降部材１０の水平方向への回転（本実施例では平面視において６０度程度）が、第二の傾斜部１２ｂ及び第一の傾斜部１０ｂによって、昇降部材１０の上昇に変換される。結果、昇降部材１０は回転しつつ上昇する。尚、段落００１８に記載のように、昇降部材１０とベルト部材７の接続箇所は、縦溝部９と突起体７ａとを利用して、上下方向に自在に移動可能で、且つ水平方向には移動不可能なように構成されているため、上記のように、ベルト部材７は水平方向のみの動作で、昇降部材１０が回転しつつ上昇する動作をしても、昇降部材１０とベルト部材７の接続を支障なく維持することができる。
このように、昇降部材１０が上昇すると、昇降部材１０の上面に弁部材２の支承部３ｂが載置され、更に昇降部材１０に押し上げられて弁部材２が上昇する。結果、図１１に示したように、弁体２ａが排水口１ａから離間して押し上げられる。
排水口１ａの開口時に、洗面ボウルＳ１内に排水又は吐水がある場合には、排水口１ａから排水口本体１内部、継手管８、トラップ管１３を介して排水が流れ、最終的に床下配管から下水側に排水が排出される。また、トラップ管１３の封水部１３ａに排水が溜まって封水を形成することで、下水側からの臭気や害虫類の屋内側への侵入を防止することができる。
この排水口１ａが開口した状態より操作部５に再度操作を加え、操作体５ａを上昇させると、インナーワイヤ６ｂは操作体５ａ側に後退し、これに伴ってベルト部材７も操作部５側に後退し、昇降部材１０を図１０の状態の位置に回動させる。結果、弁部材２の環状支承部３が昇降部材１０の支承を失って降下し、これに伴い弁軸２ｂ、弁体２ａも降下することで、図９に示したように、排水口１ａを弁体２ａが覆って排水口１ａを閉口する。
以降、上記操作体５ａに押し引きの操作を行うことで、排水口１ａから離間した位置にある操作部５にて、排水口１ａを遠隔操作により開閉することができる。本実施例の遠隔操作式排水栓装置も、第一実施例と同様、操作体５ａへの押しと引きの二方向への操作によって、排水口１ａの開閉を行う２ウェイ式の遠隔操作式排水栓装置である。
【００２１】
本発明の実施例は以上のようであるが、本発明は上記実施例に限定される物ではなく、主旨を変更しない範囲において自由に変更が可能である。
例えば上記実施例では遠隔操作式排水栓装置は全て洗面台Ｓの洗面ボウルＳ１に施工されてなるが、本発明は上記実施例に限定されるものでは無く、槽体としての浴槽を備えた浴室、槽体としてのシンクを備えた流し台等、排水口１ａを備えた槽体であれば、どのような排水機器のどのような槽体に採用しても構わない。
【００２２】
また、上記第一実施例では昇降部材１０と回動体１１に、第二実施例では昇降部材１０と継手管８の段部１２ａに、それぞれ傾斜部を設けて構成してなるが、本発明では上記実施例に限定されるものでは無く、第一実施例の構成では昇降部材１０と回動体１１のいずれか一方、第二実施例では昇降部材１０と継手管８の段部１２ａのいずれか一方にのみ傾斜部を設け、他方には単なる突起やリブなどで相手の傾斜部上を移動する構成としても構わない。
また、上記第一実施例の回動体１１、第二実施例の昇降部材１０は、排水管である継手管８の円筒部分に沿って回動する円筒形状に構成されてなるが、本発明は上記実施例に限定されるものでは無く、継手管８（排水管）の円筒形状を成す内側面に沿って回動することか可能であれは、半円弧やリブ、単なる突起等、どのような形状の構成であっても構わない。但し、適宜傾斜部を備える必要がある場合は、傾斜部を備えることが可能な形状とする必要は当然にある。
一例として、図１４及び図１５に示した実施例では、第一実施例の遠隔操作式排水栓装置から、円筒形状にして上端に第二の傾斜部１２ｂを備えた回動体１１に替えて、ベルト部材７の先端に設けた、上下に伸びるリブ体からなる回動体１１を備えてなる。このリブ体が、排水管である排水口本体１の内面に沿って水平方向に移動することで、回動体１１の上端が、第一の傾斜部１０ｂを、滑りながら押し上げることとなる。即ち、傾斜部を備えない回動体１１の水平方向への回転が、第一の傾斜部１０ｂによって、昇降部材１０の上昇に変換される。
【００２３】
また、上記第一実施例では、昇降部材１０の回動を防止する機構として、昇降部材１０に縦リブ部１０ａを、排水口本体１に縦溝部９を、それぞれ設けてなるが、回動を防止乃至制限する機構は上記実施例に限定されるものでは無く、昇降部材１０が回動体１１の回動に伴って回動することを防止乃至制限する機構であれば、どのような構成を採用しても構わない。
【００２４】
また、上記各実施例では、操作体５ａの、押しと引きの操作によって排水口１ａの開閉を行う２ウェイ式の遠隔操作式排水栓装置とした構成であるが、本発明は上記実施例に限定されるものでは無く、インナーワイヤ６ｂを操作部５側に付勢させるスプリング等の弾性体と、押し操作毎にインナーワイヤ６ｂを継手管８側に前進させて固定／固定を解除して弾性体によって操作部５側にインナーワイヤ６ｂを後退、を交互に繰り返すロック機構を備えることで、操作体５ａへの押し操作のみで排水口１ａを開閉する、１ウェイ式の遠隔操作式排水栓装置と呼ばれる構成としても良い。
【符号の説明】
【００２５】
１      排水口本体            １ａ    排水口
１ｂ    フランジ部            １ｃ    板ナット部材
２      弁部材                ２ａ    弁体
２ｂ    弁軸                  ３      環状支承部
３ａ    環状部                ３ｂ    支承部
４      環状支持部            ５      操作部
５ａ    操作体                ５ｂ    操作部本体
６      レリースワイヤ        ６ａ    アウターチューブ
６ｂ    インナーワイヤ        ７      ベルト部材
７ａ    突起体                ８      継手管
８ａ    接続管                ８ｂ    ガイド部
９      縦溝部                １０    昇降部材
１０ａ  縦リブ部              １０ｂ  第一の傾斜部
１１    回動体                １１ａ  穴部
１２ａ  段部                  １２ｂ  第二の傾斜部
１３    トラップ管            １３ａ  封水部
Ｃ      キャビネット部        Ｓ      洗面台
Ｓ１    洗面ボウル            Ｈ１    取付孔
Ｈ２    操作部取付孔
【図１】
2018009362.tif 000003
【図２】
2018009362.tif 000004
【図３】
2018009362.tif 000005
【図４】
2018009362.tif 000006
【図５】
2018009362.tif 000007
【図６】
2018009362.tif 000008
【図７】
2018009362.tif 000009
【図８】
2018009362.tif 000010
【図９】
2018009362.tif 000011
【図１０】
2018009362.tif 000012
【図１１】
2018009362.tif 000013
【図１２】
2018009362.tif 000014
【図１３】
2018009362.tif 000015
【図１４】
2018009362.tif 000016
【図１５】
2018009362.tif 000017